(57)【要約】      （修正有）【課題】むやみに名前を露出することなく、バッグの持ち主を確実に特定する工夫が使用者のコストをほとんど増加させることなく実現することができるバッグを提供すること。【解決手段】収容部を備えるバッグ本体１２と、該バッグ本体に設けられ名札２４もしくは前記バッグ本体に直接記載された名前を表示するための名前表示部２０と、該名前表示部の少なくとも一部を覆い得る遮蔽手段３０とを備えており、該遮蔽手段が、前記名札もしくはバッグ本体１２に記載された前記名前標記を、常態において隠し、任意に該名前標記を露出できる構成とされているバッグ。【選択図】図２
2007330810.tif 000002
【特許請求の範囲】
【請求項１】
収容部を備えるバッグ本体と、
該バッグ本体に設けられ名札もしくは前記バッグ本体に直接記載された名前を表示するための名前表示部と、
該名前表示部の少なくとも一部を覆い得る遮蔽手段と
を備えており、
該遮蔽手段が、前記名札もしくはバッグ本体に記載された前記名前標記を、常態において隠し、任意に該名前標記を露出できる構成とされている
ことを特徴とするバッグ。
【請求項２】
前記名前表示部が、前記バッグ本体に設けられた袋状部分に名札を挿脱する構成とした名札保持手段であることを特徴とする請求項１に記載のバッグ。
【請求項３】
前記遮蔽手段が、前記名前表示部の表面を覆う柔軟な材料でなる基材から分離される遮蔽片であり、該遮蔽片は、その一辺が前記基材と一体に接合されており、接合されない自由端側が開閉自在に前記名前表示部表面を覆う構成としたことを特徴とする請求項１または２のいずれかに記載のバッグ。
【請求項４】
前記遮蔽手段が、前記名前表示部の表面を覆う柔軟な材料でなる基材から分離される遮蔽片であり、該遮蔽片は、その二辺が前記基材と一体に接合されているとともに、かつ該遮蔽手段のほぼ中央部で分離されており、分離された各自由端側が開閉自在に前記名前表示部表面を覆う構成としたことを特徴とする請求項１または２のいずれかに記載のバッグ。
【請求項５】
前記名札保持手段が、前記バッグ本体の表面に付加形成された袋状部分であって、該袋状部分の表面には透明部が形成されることにより、該袋状部分に挿入された前記名前表示部に表示された名前が前記透明部を介して露出する構成とされていることを特徴とする請求項２ないし４のいずれかに記載のバッグ。
【請求項６】
書道用道具を入れるための書道バッグ、水彩用具を入れるための水彩バッグ、ランドセル、裁縫用具を入れるための裁縫バッグのいずれかであることを特徴とする請求項１ないし５のいずれかに記載のバッグ。
【発明の詳細な説明】
【技術分野】
【０００１】
本発明は、主として児童や生徒が学用品などを入れるためのバッグの改良に関するものである。
【背景技術】
【０００２】
学童や生徒が学用品を収納するために使用するバッグとしては、例えば図７に示すようなものが知られている。図７（ａ）はバッグ１の正面図、図７（ｂ）はバッグ本体２の背面図である。
バッグ１は、学用品を入れるための大きな袋状の収納部を構成するバッグ本体２を備え、該バッグ本体２を開閉する蓋部には把手３などが設けられている。
図７（ｂ）に示すように、バッグ本体２の裏側の下端隅部付近には、名前表示部４が設けられている。
この名前表示部に所有者の名前が記載されていることにより、バッグ１の持ち主が表示されるようになっている。
【０００３】
ところで、最近、不審者などにより学童や生徒が拉致や誘拐の被害に遭う事件が多く発生し、社会問題化している。
このため、図７（ｂ）ように名前表示部４で常時所有者の名前を表示していると、バッグ１を持って歩いているところなどを、このような不審者に目撃され、その名前を知られてしまうことがある。そして、このことを原因として、上記誘拐などが行われることも考えられる。
そこで、常時名前を表示しないようにした名札なども提案されている（特許文献１参照）。
【０００４】
【特許文献１】実用新案登録第３１１５３６２号
【発明の開示】
【発明が解決しようとする課題】
【０００５】
特許文献１に記載された名札は、押しボタン操作により開閉する名札であり、ボタンを押して開いた時には、名札保持部の表示内容である名前が視認でき、閉じた時には、これを読みとることができないようにするというものである。
しかしながら、この名札は、例えばペンダント式にバッグなどに吊り下げ装着するバッグとは別体のものであり、バッグなどに着脱する必要がある点で使用が面倒であるとともに、別体のベンダントタイプに構成する点で製造コストもかかり、独立して購入しなければならないので、費用がかかりすぎるという欠点がある。
さらには、特許文献１の名札の場合、押しボタン操作を忘れると、名前が露出されたままになってしまう。特に年齢の低い学童などでは、そのような可能性が高いため、不審者等に対する名前の秘匿がはなはだ不十分である。
【０００６】
本発明は、上記欠点を解決しようとするもので、むやみに名前を露出することなく、バッグの持ち主を確実に特定する工夫が使用者のコストをほとんど増加させることなく実現することができるバッグを提供することを目的としている。
【課題を解決するための手段】
【０００７】
上記目的は、第１の発明にあっては、収容部を備えるバッグ本体と、該バッグ本体に設けられ名札もしくは前記バッグ本体に直接記載された名前を表示するための名前表示部と、該名前表示部の少なくとも一部を覆い得る遮蔽手段とを備えており、該遮蔽手段が、前記名札もしくはバッグ本体に記載された前記名前標記を、常態において隠し、任意に該名前標記を露出できる構成とされているバッグにより、達成される。
【０００８】
第１の発明の構成によれば、名前表示部も、その少なくとも一部を覆い得る遮蔽手段もバッグ本体に設けるようにしたから、バッグとは別体のペンダント型名札などの形態のものを購入することなく、ユーザーのコスト負担が低減される。
しかも遮蔽手段は、名前標記を、常態において隠し、任意に該名前標記を露出できる構成としたので、むやみに名前を露出して、所有者に誘拐などの危険を生じることなく、バッグの持ち主を確実に特定することができる。
特に、従来のペンダント式名札と比べると、ボタン操作により名前表示部を隠す必要がなく、常態において名前を隠し、名前を露出したい場合だけこれを露わにするものであるから、不審者等に対する名前の秘匿が、より確実に実現される。
【０００９】
第２の発明は、第１の発明の構成において、前記名前表示部が、前記バッグ本体に設けられた袋状部分に名札を挿脱する構成とした名札保持手段であることを特徴とする。
第２の発明の構成によれば、バッグ本体に直接名前を書かない構成とすることで、該バッグを、例えば兄弟などの異なる所有者が繰り返し使用する上で有利である。
【００１０】
第３の発明は、第１または２のいずれかの発明の構成において、前記遮蔽手段が、前記名前表示部の表面を覆う柔軟な材料でなる基材から分離される遮蔽片であり、該遮蔽片は、その一辺が前記基材と一体に接合されており、接合されない自由端側が開閉自在に前記名前表示部表面を覆う構成としたことを特徴とする。
第３の発明の構成によれば、前記遮蔽手段が柔軟な材料で形成された基材から分離される遮蔽片で、その一辺が接合されているから、接合されていない自由端が名前表示部を覆っている状態では、該名前表示部に記載された名前を隠して、読み取ることができないようにすることができる。また、自由端を摘んでめくると、遮蔽片は柔軟な材料で形成されているので変形し、名前表示部が露出されることになる。これにより、記載された名前を確認できるので、バッグの持ち主を確実に特定することができる。
【００１１】
第４の発明は、第１または２のいずれかの発明の構成において、前記遮蔽手段が、前記名前表示部の表面を覆う柔軟な材料でなる基材から分離される遮蔽片であり、該遮蔽片は、その二辺が前記基材と一体に接合されているとともに、かつ該遮蔽手段のほぼ中央部で分離されており、分離された各自由端側が開閉自在に前記名前表示部表面を覆う構成としたことを特徴とする。
第４の発明の構成によれば、前記遮蔽手段が柔軟な材料で形成される基材から分離された遮蔽片で、その二辺が接合されているから、各辺から分離された中央部までの各自由端が名前表示部を覆っている状態では、該名前表示部に記載された名前を隠して、読み取ることができないようにすることができる。また、各自由端を摘んで観音開きにめくると、遮蔽片は柔軟な材料で形成されているので変形し、名前表示部が露出されることになる。これにより、記載された名前を確認できるので、バッグの持ち主を確実に特定することができる。
【００１２】
第５の発明は、第２ないし４のいずれかの発明の構成において、前記名札保持手段が、前記バッグ本体の表面に付加形成された袋状部分であって、該袋状部分の表面には透明部が形成されることにより、該袋状部分に挿入された前記名前表示部に表示された名前が前記透明部を介して露出する構成とされていることを特徴とする。
第６の発明の構成によれば、透明部を介して名札に記載された名前が示され、名札は透明部に覆われることで保護されている。
【００１３】
第６の発明は、第１ないし５のいずれかの発明の構成において、書道用道具を入れるための書道バッグ、水彩用具を入れるための水彩バッグ、ランドセル、裁縫用具を入れるための裁縫バッグのいずれかであることを特徴とする。
第６の発明の構成によれば、本発明のバッグは学童や生徒が学用品入れなどにするための種々のバッグとして使用することができる。
【発明を実施するための最良の形態】
【００１４】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１は本発明の実施形態に係るバッグの全体構造を示す概略斜視図であり、図１（ａ）はバッグの正面図、図１（ｂ）はバッグ本体の背面図である。
バッグ１０は、いわゆる鞄であり、学用品を入れるための大きな袋状の収納部を構成するバッグ本体１２を備え、該バッグ本体１２を開閉する蓋部には把手１３などが設けられている。
バッグ１０は、種々の形態をとることができ、収容する学用品の種類や大きさ、量などに応じて、形状や大きさを変更することができる。
例えば、バッグ１０は、書道用道具を入れるための書道バッグ、水彩用具を入れるための水彩バッグ、ランドセル、裁縫用具を入れるための裁縫バッグなどとすることができる。
【００１６】
図１（ｂ）に示すように、バッグ本体１２の裏側の下端隅部付近には、名前表示部２０が設けられている。
この名前表示部２０に所有者の名前が記載されていることにより、バッグ１０の持ち主が表示されるようになっている。
本実施形態では、名前表示部２０がバッグ１０の表面や蓋部を開いた収容部の内側など適宜の箇所に形成されているので、別体の名札をバッグに取り付ける場合と比較すると、バッグ１０を購入すれば、無料でついてくることから、ユーザーにとって、より費用負担が小さくて済む利点がある。
【００１７】
図２はバッグ本体１２の部分の裏側の下端隅部付近に設けた名前表示部を拡大して示す説明図である。
図において、名前表示部２０は、本実施形態では、名札保持手段２１として構成されている。すなわち、名前表示部２０は必ずしも名札を必要とせず、バッグ本体１２の所定箇所に直接名前を記載して名前表示部としてもよいが、本実施形態では、名前表示部として名札を用いた名札保持手段２１を以下のように形成するものである。
【００１８】
名札保持手段２１は、例えば、バッグ本体１２の表面に矩形の基材２５が固定されている。具体的には、基材２５は開口２３が形成される辺以外の周縁部をバッグ本体１２に接合されることにより、名札２４を矢印Ａに示すように挿脱することができるような袋状部分を形成するもので、名札保持手段２１の本体をなす部分である。
この基材２５は、このような機能を果たすことができる丈夫で柔軟な材料が用いられ、曲折可能で、繰り返し曲折されても損傷しにくい材料が適している。つまり、好ましくは、皮革、合成皮革、丈夫な布、ビニール、合成ゴムなどで形成されている。
【００１９】
本実施形態では、基材２５の上記開口２３に対応する辺以外の辺に対応する周縁部が、バッグ本体１２に対して縫着されて、固定されている。
また、この縫着された各辺の縫着部の内側が切断されており、図２に示すように開口２３に対応した辺の部分は分離されていない。これにより、基材２５の枠状の縫着周縁の内側には、分離された領域を自由端とする遮蔽手段、すなわち遮蔽片３０が形成されている。遮蔽片３０は開口２３に対応した辺だけが基材２５に一体に接合している。
また、遮蔽片３０を開いた枠状部分の内側には、透明部２２が設けられた窓部２６が形成されている。
【００２０】
すなわち、窓部２６が形成されれば、挿入された名札２４の名前表記は読み取ることができるが、例えば、透明なビニールや合成樹脂のシート状部材を基材２５の内側に固定することで、透明部２２としてのカバーを構成することで、名札２４を保護することができる。
また、名前表示部２０を名札保持手段２１のように構成して、名前を名札２４に書くようにし、バッグ本体１２の表面に直接名前を書かない構成とすることで、該バッグを、例えば兄弟などの異なる所有者が繰り返し使用する上で有利である。
【００２１】
図３は使用状態を示す図である。
名前表示部である名札保持手段２１では、遮蔽片３０の下端部や下端隅部を指で摘んで、めくると、窓部２６から透明部２２を介して、名札に書かれた名前が露出するので、これを視認することができ、誰のバッグかを誤り無く特定することができる。
一方、遮蔽片３０を摘んだ指を離すと、遮蔽片３０は窓部２６の内周に合うように閉じられ、名前表示部としての名札の表面を、透明部２２を介して覆うので、窓部２６を塞ぐことになる。これにより名札に書かれた名前が読み取れなくなる。
このため、バッグ１０を持って移動中の学童や生徒にあっては、登下校時などにおいて、持っているバッグの名前表示部から、見ず知らずの者などにむやみに名前表示部をさらして、その名前を視認され、記憶されたりすることがないから、誘拐などの犯罪に利用される危険がない。
特に、従来のペンダント式名札と比べると、ボタン操作により名前表示部を隠す必要がなく、常態において名前を隠し、名前を露出したい場合だけこれを露わにするものであるから、不審者等に対する名前の秘匿が、より確実に実現される。
【００２２】
図４は、本発明実施形態の第１変形例の要部を示す図であり、名前表示部の名札保持手段を拡大して示している。
図において、基材２５はほぼ中央部で縦方向に伸びる切断線で左右に分離されている。各分離された部分である遮蔽片３０−１，３０−２は、左右側面に沿った各二辺が、基材２５と一体に接合されているとともに、中央の分離された各自由端側が開閉自在に名前表示部としての名札の表面を、透明部２２を介して覆うようになっている。
なお、遮蔽片３０−１，３０−２の各自由端を指で摘んで、めくると、窓部２６から透明部２２を介して、名札に書かれた名前が露出するので、これを視認することができ、誰のバッグかを誤り無く特定することができる。
第１変形例は以上のように構成されているので、図２および図３の遮蔽片と同様の作用効果を発揮できる。
【００２３】
図５は、本発明実施形態の第２変形例の要部を示す図であり、名前表示部の名札保持手段を拡大して示している。
図において、遮蔽片３０−３は左側の側面に沿う辺が記載２５と一体に接合されており、それ以外の辺は分離されている。これにより、遮蔽片３０−３の右端側が自由端とされている。この自由端側が図５（ｂ）に示すように、開閉自在に名前表示部としての名札の表面を、透明部２２を介して覆うようになっている。
そして、遮蔽片３０−３の自由端を指で摘んで、めくると、図５（ｂ）に示すように、窓部２６から透明部２２を介して、名札に書かれた名前が露出するので、これを視認することができ、誰のバッグかを誤り無く特定することができる。
第２変形例は以上のように構成されているので、図２および図３の遮蔽片と同様の作用効果を発揮できる。
【００２４】
図６は、本発明実施形態の第３変形例の要部を示す図であり、名前表示部の名札保持手段を拡大して示している。
図において、基材２５はほぼ中央部で横方向に伸びる切断線で上下に分離されている。各分離された部分である遮蔽片３０−４，３０−５は、上下の各二辺が、基材２５と一体に接合されているとともに、中央の分離された各自由端側が開閉自在に名前表示部としての名札の表面を、透明部２２を介して覆うようになっている。
そして、遮蔽片３０−４，３０−５の各自由端を指で摘んで、めくると、窓部２６から透明部２２を介して、名札に書かれた名前が露出するので、これを視認することができ、誰のバッグかを誤り無く特定することができる。
第３変形例は以上のように構成されているので、図２および図３の遮蔽片と同様の作用効果を発揮できる。
【００２５】
本発明は上述の各実施形態に限定されない。上述の各実施形態における各構成は、必要により、その一部を省略したり、他の構成と入れ換えて、異なる構成の組み合わせのもとで実施されてもよい。
【図面の簡単な説明】
【００２６】
【図１】本発明の実施形態にかかるバッグの全体構成を示す概略斜視図。
【図２】図１のバッグの名前表示部を示す拡大斜視図。
【図３】図１の名前表示部の使用状態を説明する図。
【図４】図１のバッグの第１変形例の図。
【図５】図１のバッグの第２変形例の図。
【図６】図１のバッグの第３変形例の図。
【図７】従来のバッグの全体構成を示す概略斜視図。
【符号の説明】
【００２７】
１０・・・バッグ、１２・・・バッグ本体、２０・・・名前表示部、２１・・・名札保持手段、２４・・・名札、２５・・・基材、２６・・・窓部、３０・・・遮蔽片
【図１】
2007330810.tif 000003
【図２】
2007330810.tif 000004
【図３】
2007330810.tif 000005
【図４】
2007330810.tif 000006
【図５】
2007330810.tif 000007
【図６】
2007330810.tif 000008
【図７】
2007330810.tif 000009